(57)【要約】【課題】ＡＩスピーカを利用して、遺失物の探索にかかる時間と労力を軽減する。【解決手段】遺失物情報音声回答システム１００は、物６０のＩＤを示す物ＩＤを発信するタグ６２と、当該タグ６２から物ＩＤを取得するＩＤ取得手段５０Ａ，５０Ｂと、サーバ３０と、音声入出力が可能なＡＩスピーカ１０により構成される。ＩＤ取得手段５０Ａ，５０Ｂにより取得された物ＩＤは、当該物ＩＤが取得された位置情報と時間情報と対応づけて、サーバ３０の物データベースに記憶される。ユーザ８０からＡＩスピーカ１０に対して音声入力により物に関するリクエストがあると、サーバ３０は、当該リクエストに応じて、音声認識で特定される物の物ＩＤに対応する時間情報と位置情報とを、物データベースを参照して取得し、ＡＩスピーカ１０に提供する。参照結果を取得したＡＩスピーカ１０は、参照結果を音声で回答する。【選択図】図１
2019219706.tif 000002
【特許請求の範囲】
【請求項１】
音声入出力が可能なＡＩスピーカに、遺失物について音声で回答させるための遺失物情報音声回答システムであって、
物のＩＤを示す物ＩＤを発信するタグから、前記物ＩＤを取得する取得手段と、
取得した前記物ＩＤと、当該物ＩＤを取得した位置を示す位置情報と、当該物ＩＤを取得した時間を示す時間情報と、を対応付けて記憶する記憶手段と、
前記ＡＩスピーカから音声で入力された物に関するリクエストに応じて、音声認識で特定される物の物ＩＤに対応する時間情報と位置情報を、前記記憶手段から参照する参照手段と、
前記参照した結果を、前記ＡＩスピーカに音声で回答させる回答手段と、
を備える遺失物情報音声回答システム。
【請求項２】
前記物のユーザが、外出時の持ち物リストをあらかじめ登録しておくことで、
ＡＩスピーカから特定の音声で入力された物に関するリクエストに応じて、
前記持ち物リスト及び前記記憶手段が参照され、
前記持ち物リストに登録された持ち物各々について参照した結果から忘れ物があると判断された場合に、
前記判断された結果を、前記回答手段が前記ＡＩスピーカに音声で通知させる
請求項１記載の遺失物情報音声回答システム。
【請求項３】
前記物ＩＤに対応する時間情報と位置情報が複数ある場合には、
前記回答手段は、時系列で前記時間情報と位置情報を回答する
請求項１又は２記載の遺失物情報音声回答システム。
【請求項４】
遺失物について音声で回答する音声入出力可能なＡＩスピーカであって、
音声で入力された物に関するリクエストを受け付ける音声入力受付手段と、
受け付けた前記物に関するリクエストに応じて、音声認識で特定される物の物ＩＤに対応する時間情報と位置情報を、外部記憶手段に要求する要求手段と、
要求に応じて前記外部記憶手段から提供された物に関する情報を取得する取得手段と、
前記取得した結果を、音声で回答する通知手段と、
を備えるＡＩスピーカ。
【請求項５】
遺失物について回答させるための遺失物情報音声回答方法であって、
前記物のＩＤを示す物ＩＤを発信するタグから、前記物ＩＤを取得するステップと、
取得した前記物ＩＤと、当該物ＩＤを取得した位置を示す位置情報と、当該物ＩＤを取得した時間を示す時間情報とを対応付けて記憶するステップと、
音声入出力が可能なＡＩスピーカから音声で入力された物に関するリクエストに応じて、音声認識で特定される物の物ＩＤに対応する時間情報と位置情報を、前記記憶手段から参照するステップと、
前記参照した結果を、前記ＡＩスピーカに音声で回答させるステップと、
を備える遺失物情報音声回答方法。
【請求項６】
音声入出力が可能なＡＩスピーカに、遺失物について音声で回答させるための遺失物情報音声回答の処理を実行させるためのプログラムであって、
前記物のＩＤを示す物ＩＤを発信するタグから、前記物ＩＤを取得するステップと、
取得した前記物ＩＤと、当該物ＩＤを取得した位置を示す位置情報と、当該物ＩＤを取得した時間を示す時間情報とを対応付けて記憶するステップと、
音声入出力が可能なＡＩスピーカから音声で入力された物に関するリクエストに応じて、音声認識で特定される物の物ＩＤに対応する時間情報と位置情報を、前記記憶手段から参照するステップと、
前記参照した結果を、前記ＡＩスピーカに音声で回答させるステップと、
を実行させるためのプログラム。
【発明の詳細な説明】
【技術分野】
【０００１】
本発明は、遺失物について回答させるための遺失物情報音声回答システム、方法、プログラム及びＡＩスピーカに関するものである。
【背景技術】
【０００２】
遺失物に関する情報を提供する技術として、例えば、下記特許文献１に記載の技術がある。当該特許文献１によれば、物体にＰＨＳ通信機能を取り付け、物体の所在位置について数百メートルのエリアを特定したのち、ＰＨＳ通信機能のアンテナを持った探知器をもった移動者が移動しながら、探知器同士の所在情報などを情報共有し、物体に接近する方位を特定していくことで物体に接近し探し当てる技術が提供されている。
【０００３】
また、下記特許文献２によれば、見守り対象物に装着され、一意に識別可能な識別子を含む近距離無線通信信号を送信する無線タグと、無線タグから送信された近距離無線信号を受信して、近距離無線信号に含まれる識別子と、捜索対象として指示された見守り対象物に装着された無線タグの識別子とが一致することを判定する携帯端末と、捜索対象として指示された見守り対象物に装着された無線タグの識別子を携帯端末に送信し、携帯端末による判定結果に基づいて、無線タグの識別子と無線タグが装着された見守り対象物とを関連つけて管理する管理装置とを備えた見守りシステムが提供されている。
【先行技術文献】
【特許文献】
【０００４】
【特許文献１】特開２０１４−１８２０２１号公報
【特許文献２】特開２０１６―３６１２３号公報
【発明の概要】
【発明が解決しようとする課題】
【０００５】
しかしながら、上述した特許文献１の技術では、物体の所在位置が明確には特定されないという課題がある。また、上述した特許文献２においては、発見された見守り対象物の所在位置を管理装置や依頼者へ通知するものの、発見された時点での所在位置しか通知されないという課題がある。
【０００６】
遺失物の通知は、単に画面に通知が表示されるよりも、音による通知や音による入力のほうが、利用者によって利便性が高いと考えられるが、そのような遺失物の通知に関する技術は、いまだ提供されていない。
【０００７】
本発明は、以上のような点に着目したもので、ＡＩ（音声入出力が可能なスピーカ型のコンピュータ）を利用して、遺失物の探索にかかる時間と労力を軽減することが可能な、遺失物情報音声回答システム、方法、プログラム及びＡＩスピーカを提供することを、その目的とする。
【課題を解決するための手段】
【０００８】
本発明は、音声入出力が可能なＡＩスピーカに、遺失物について音声で回答させるための遺失物情報音声回答システムであって、物のＩＤを示す物ＩＤを発信するタグから、前記物ＩＤを取得する取得手段と、取得した前記物ＩＤと、当該物ＩＤを取得した位置を示す位置情報と、当該物ＩＤを取得した時間を示す時間情報と、を対応付けて記憶する記憶手段と、前記ＡＩスピーカから音声で入力された物に関するリクエストに応じて、音声認識で特定される物の物ＩＤに対応する時間情報と位置情報を、前記記憶手段から参照する参照手段と、前記参照した結果を、前記ＡＩスピーカに音声で回答させる回答手段と、を備える遺失物情報音声回答システムを提供する。
【０００９】
また、本発明は、遺失物について音声で回答する音声入出力可能なＡＩスピーカであって、音声で入力された物に関するリクエストを受け付ける音声入力受付手段と、受け付けた前記物に関するリクエストに応じて、音声認識で特定される物の物ＩＤに対応する時間情報と位置情報を、外部記憶手段に要求する要求手段と、要求に応じて前記外部記憶手段から提供された物に関する情報を取得する取得手段と、前記取得した結果を、音声で回答する通知手段と、を備えるＡＩスピーカを提供する。
【００１０】
更に、本発明は、音声入出力が可能なＡＩスピーカに、遺失物について音声で回答させるための遺失物情報音声回答方法であって、前記物のＩＤを示す物ＩＤを発信するタグから、前記物ＩＤを取得するステップと、取得した前記物ＩＤと、当該物ＩＤを取得した位置を示す位置情報と、当該物ＩＤを取得した時間を示す時間情報とを対応付けて記憶するステップと、前記ＡＩスピーカから音声で入力された物に関するリクエストに応じて、音声認識で特定される物の物ＩＤに対応する時間情報と位置情報を、前記記憶手段から参照するステップと、前記参照した結果を、前記ＡＩスピーカに音声で回答させるステップと、を備える遺失物情報音声回答方法を提供する。
【００１１】
更に、本発明は、音声入出力が可能なＡＩスピーカに、遺失物について音声で回答させるための遺失物情報音声回答の処理を実行させるためのプログラムであって、前記物のＩＤを示す物ＩＤを発信するタグから、前記物ＩＤを取得するステップと、取得した前記物ＩＤと、当該物ＩＤを取得した位置を示す位置情報と、当該物ＩＤを取得した時間を示す時間情報とを対応付けて記憶するステップと、前記ＡＩスピーカから音声で入力された物に関するリクエストに応じて、音声認識で特定される物の物ＩＤに対応する時間情報と位置情報を、前記記憶手段から参照するステップと、前記参照した結果を、前記ＡＩスピーカに音声で回答させるステップと、を実行させるためのプログラムを提供する。
【発明の効果】
【００１２】
本発明によれば、ＡＩスピーカに対する音声入力により物の情報をサーバから取得し、取得した情報をＡＩスピーカから音声で出力するため、物の探索にかかる時間と労力を軽減し、遺失物をなくすことができる。
【図面の簡単な説明】
【００１３】
【図１】本発明の一実施形態の遺失物情報音声回答システムの概要を示す概念図である。
【図２】前記実施形態の遺失物情報音声回答システムの機能構成を示すブロック図である。
【図３】前記実施形態の物データベースの一例を示す図である。
【図４】前記実施形態の持ち物リストの一例を示す図である。
【図５】前記実施形態の物情報回答処理の一例を示すフローチャートである。
【図６】前記実施形態の物情報回答処理の他の例を示すフローチャートである。
【図７】前記実施形態の持ち物リストを参照した場合の音声によるリクエスト及び通知の一例の様子を示す図である。
【図８】前記実施形態の持ち物リストを参照した場合の音声によるリクエスト及び通知の他の例の様子を示す図である。
【発明を実施するための形態】
【００１４】
以下、本発明を実施するための最良の形態を、実施例に基づいて詳細に説明する。
【実施例１】
【００１５】
＜全体構成＞・・・図１は、本実施形態に係る遺失物情報音声回答システムの概要を示す概念図である。遺失物情報音声回答システム１００は、遺失物をなくすために、物に関する情報を回答させるシステムであって、ＡＩスピーカ（音声入出力可能なスピーカ型のコンピュータ）１０と、物６０に取付けられたタグ６２から、物ＩＤを取得し、取得した位置情報と時間情報をサーバ３０へ提供するＩＤ取得手段５０Ａ、５０Ｂと、取得した物ＩＤと取得した位置情報及び時間情報を対応付けて記憶し、ＡＩスピーカ１０が受け付けた音声によるリクエストに応じて、物に関する情報をＡＩスピーカ１０に提供するサーバ３０により構成される。なお、ＩＤ取得手段５０Ａ、５０Ｂや、物６０、ユーザ８０の数は一例であり、図示の例に限定されるものではない。
【００１６】
より具体的に説明すると、図１に示すように、物６０（図示の例では財布）に取付けられたタグ６２からは、物に関する「物ＩＤ」が発信され（図１のＳ１）、これをＩＤ取得手段５０Ａ、５０Ｂが受信する。ＩＤ取得手段５０Ａは、スマートフォンの例であり、これは、ユーザ自身のスマートフォンであってもよいし、本システムを利用する他のユーザのスマートフォンであってもよい。スマートフォンがＩＤ取得手段として機能するためには、例えば、本システム専用のアプリケーションの導入により実現可能である。また、例えば、ＩＤ取得手段５０Ｂのように、道路や各種施設などに固定して設置されたスポットを、ＩＤ取得手段としてもよい。
【００１７】
これらのＩＤ取得手段５０Ａ、５０Ｂによって取得した物ＩＤは、物ＩＤを取得したときのＩＤ取得手段５０Ａ、５０Ｂの位置を位置情報とし、取得した時間を時間情報として、サーバ３０へ送信される（図１のＳ２）。サーバ３０では、これらの物ＩＤと、物ＩＤを取得した位置を示す位置情報と、物ＩＤを取得した時間を示す時間情報とを対応付けて記憶する。
【００１８】
ここで、ユーザ８０が、例えば、「お財布どこ？」のように、音声によりＡＩスピーカ１０に、物に関するリクエストを入力すると（図１のＳ３）、ＡＩスピーカ１０からサーバ３０に対して、ＡＩスピーカ１０に音声で入力された物に関するリクエストが送信される（図１のＳ４）。
【００１９】
サーバ３０では、リクエストを受け付けると、当該リクエストに応じて、音声認識で特定される物の物ＩＤに対応する時間情報と位置情報とを、記憶手段を参照し、ＡＩスピーカ１０に提供する（図１のＳ５）。ＡＩスピーカ１０は、提供された参照結果を、音声で回答する（図１のＳ６）。例えば、「お財布は、２０１８／４／１の１０：４７までに、〇〇〇〇にあったよ」という具合である。
【００２０】
＜機能構成＞・・・図２は、本実施形態の遺失物情報音声回答システムの機能構成を示すブロック図である。まず、ＡＩスピーカ１０について説明する。なお、ＡＩスピーカ１０とは、音声入出力が可能なスピーカ型のコンピュータであって、スピーカに特化した据え置き型のＡＩスピーカ１０Ａであってもよいし、音声入出力機能を備えたスマートフォンをＡＩスピーカ１０Ｂとして利用してもよい。むろん、これら双方を、状況に応じて使い分けるようにしてもよい。
【００２１】
ＡＩスピーカ１０は、リクエスト受付手段（音声入力受付手段）１２と、物情報要求手段１４と、物情報取得手段１６と、音声回答手段１８と、地図データ２０と、持ち物リスト２２と、スケジュールデータ２４を備えている。ＡＩスピーカ１０は、図示しないプロセッサ、メモリ、ストレージ、通信部を備え、これらはバスにより接続されている。プロセッサは、例えば、ＣＰＵ（Central Processing Unit）により構成され、メモリに記憶された各種プログラムを読み出して実行することで、各種処理を行う。前記メモリは、ＣＰＵにより実行されるプログラムを記憶するものであり、例えば、ＲＯＭ（Read Only Memory）やＲＡＭ（Random Access Memory）により構成される。例えば、リクエスト受付手段１２、物情報要求手段１４、物情報取得手段１６、音声回答手段１８などが記憶されている。ストレージは、地図データ２０、持ち物リスト２２、スケジュールデータ２４や図示しない制御プログラムなどを記憶するものである。通信部は、ネットワーク７０を介してサーバ３０などとデータ通信を行うものである。
【００２２】
なお、地図データ２０は、必ずしもＡＩスピーカ１０に記憶されている必要はなく、後述するサーバ３０に記憶された地図データ４０を用いるようにしてもよい。また、持ち物リスト２２、スケジュールデータ２４も、ＡＩスピーカ１０に記憶されている必要はなく、サーバ３０に記憶しておくようにしてもよい。もろん、これらのデータを、ＡＩスピーカ１０とサーバ３０の双方に記憶しておくことを妨げるものではない。
【００２３】
リクエスト受付手段１２は、ユーザ８０が音声で入力した物に関するリクエスト、例えば、「財布はどこ？」というリクエストを受け付けるものである。物情報要求手段１４は、前記リクエストに応じて、音声認識で特定される物の物ＩＤに対応する情報をサーバ３０に要求するものである。なお、音声認識による物の特定は、サーバ３０側で行うようにしてもよい。物情報取得手段１６は、前記リクエストに応じてサーバ３０から提供された情報を取得するものである。なお、これらの情報の要求や取得は、図示しない通信手段及びネットワーク７０を介して行われる。
【００２４】
地図データ２０は、例えば、サーバ３０から提供された物の位置情報が、緯度や経度で特定されている場合に、それら緯度や経度に相当する地図上の位置を特定し、当該地図上の表示、例えば、施設名、道路名、信号名などとして音声出力するために参照されるものである。上述したように、地図データ２０は、サーバ３０に記憶されていれば、必ずしもＡＩスピーカ１０に備えておく必要はない。
【００２５】
持ち物リスト２２は、ユーザ８０が通常の外出時（通勤や通学時）に必要な物のリストである。図４には持ち物リスト２２の一例が表示されている。同図に示す持ち物リスト２２の上部には、時間情報２２Ａと物情報２２Ｂが設けられている。時間情報２２Ａは、例えば、「通勤時（平日８：３０  自宅出発）のように設定され、物情報２２Ｂは、例えば、「１  鍵」、「２  カバン」、「３  財布」のように設定される。むろん、これに限定されるものではない。例えば、習い事などで決まった曜日や時間に出かける場合には、それらの時間情報、たとえば、「ジム（平日２０：００  自宅出発）」、持ち物情報として「１  ジム用バッグ」、「２  タオル」、「３  シューズ」などのように設定してもよい。このような持ち物リスト２２が設定されている場合には、通常の物のリクエスト及び回答と平行して後述する処理が行われる。
【００２６】
スケジュールデータ２４は、例えば、図４の持ち物リスト２２の下部にカレンダー情報２３Ａとして示されており、予定情報２３Ｂと、物情報２３Ｃが示されている。予定情報２３Ｂは、例えば、「６月６日  海外出張（朝６：００  自宅出発）」と設定され、物情報は、「１  パスポート」、「２  ・・・」と設定されている。このようなカレンダー情報２３Ａが設定されている場合には、通常の持ち物リストに優先して、カレンダー情報２３Ａに設定された物の情報のリクエスト及び回答を行うようにしてもよい。
【００２７】
なお、ここでは、カレンダー情報２３Ａを、持ち物リスト２２内に一緒に設けることとしたが、むろんこれも一例であり、持ち物リスト２２とスケジュールデータ２４は別個に設けるようにしてもよいし、これら持ち物リスト２２とスケジュールデータ２４をサーバ３０の物データベース３８にユーザ毎に紐づけて設けるようにしてもよい。
【００２８】
次に、サーバ３０について説明する。サーバ３０は、物ＩＤ取得手段３２と、参照手段３４と、物情報提供手段３６と、物データベース３８と、地図データ４０を備えている。サーバ３０は、図示しないプロセッサ、メモリ、ストレージ、通信部を備え、これらはバスにより接続されている。プロセッサは、例えば、ＣＰＵ（Central Processing Unit）により構成され、メモリに記憶された各種プログラムを読み出して実行することで、各種処理を行う。前記メモリは、ＣＰＵにより実行されるプログラムを記憶するものであり、例えば、ＲＯＭ（Read Only Memory）やＲＡＭ（Random Access Memory）により構成される。例えば、物ＩＤ取得手段３２、参照手段３４、物情報提供手段３６などが記憶されている。ストレージは、物データベース３８や地図データ４０や図示しない制御プログラムなどを記憶するものである。このほか、上述した持ち物リスト２２やスケジュールデータ２４をサーバ３０に記憶するようにしてもよい。通信部は、ネットワーク７０を介してＡＩスピーカ１０などとデータ通信を行うものである。
【００２９】
物ＩＤ取得手段３２は、ＩＤ取得手段５０、５０Ａ、５０Ｂから、ネットワーク７０を介して物ＩＤ６４、当該物ＩＤ６４を取得した位置を示す位置情報と、取得した時間を示す時間情報とを取得し、これらを対応付けた物データとして物データベース３８に記憶する。参照手段３４は、ＡＩスピーカ１０から音声で入力された物に関するリクエストに応じて、音声認識で特定される物の物ＩＤに対応し、かつ、ユーザＩＤに対応する物の情報を、前記物データベース３８を参照して特定する。物情報提供手段３６は、参照手段３４により特定された物情報を、ＡＩスピーカ１０に提供する。なお、このようなデータの授受は、図示しない通信部を介して行われる。
【００３０】
物データベース３８は、物ＩＤ６４と、物ＩＤ６４を取得した位置を示す位置情報と、物ＩＤ６４を取得した時間を示す時間情報を対応付けて記憶したもので、物ＩＤ６４とユーザＩＤとの対応付けも行っている。さらに、ユーザＩＤとＡＩスピーカＩＤとを連携させるようにしてもよい。図３には、物データベース３８の一例が示されている。図示の例では、サービスＩＤ３８Ａ、ユーザＩＤ３８Ｂ、物ＩＤ３８Ｃ、物名３８Ｄ、受信日３８Ｅ、受信時間３８Ｆ、位置情報３８Ｇが記憶される。
【００３１】
例えば、ユーザＩＤ「１２３４」のユーザに対応づけられている物ＩＤは、「ａｂｃｄ」、「ｅｆｇｈ」、「ｉｊｋｌｍ」の３つであり、「ａｂｃｄ」は「財布」、「ｅｆｇｈ」は「鍵」、「ｉｊｋｌｍ」は「バッグ」と対応づけられている。これらの物それぞれについて、受信日、受信時間、位置情報が取得順に記憶される。例えば、「財布」の受信日、受信時間、位置情報は、「２０１８／４／２」「２０：４７」「緯度ｘｘｘ／経度ｙｙｙ」、「２０１８／４／２」「０８：２６」「緯度ｗｗ／経度ｚｚｚ」、「２０１８／４／１」「１４：３９」「緯度ｘｘｙ／経度ｙｚｘ」のように、最近の受信情報が蓄積されていく。他の物６０についても同様である。
【００３２】
地図データ４０は、前記参照手段３４が物データベース３８を参照して特定した物の位置情報が緯度・経度で特定されている場合に、それら緯度・経度に相当する地図上の位置を特定し、当該地図上の表示、例えば、施設名、道路名、信号名によってＡＩスピーカ１０に音声出力させるために参照されるものである。なお、ＡＩスピーカ１０側に地図データがある場合には、必ずしもサーバ３０に地図データ４０を設ける必要はない。
【００３３】
ＩＤ取得手段５０は、物ＩＤ取得手段５２と物ＩＤ提供手段５４を備えている。物ＩＤ取得手段５２は、物ＩＤ６４を発信するタグ６２から、物ＩＤ６４を取得するものである。物ＩＤ提供手段５４は、取得した物ＩＤ６４と、取得した位置を示す位置情報と、取得した時間を示す時間情報とを、前記サーバ３０に提供するものである。前記物ＩＤ取得手段５２による物ＩＤの取得は、例えば、Bluetooth（登録商標） Low Energy(BLE)規格の通信の受信機により行われる。また、前記物ＩＤ提供手段５４によるサーバ３０へのデータの提供は、ネットワーク７０を介して行われる。
【００３４】
ＩＤ取得手段５０は、スマートフォン専用アプリケーションをインストールすることでＩＤ取得手段５０Ａとして機能するスマートフォンを利用してもよいし、市街地や各種施設等の固定した場所に設置された同様の機能を有するスポットをＩＤ取得手段５０Ｂとしてもよい。これらのＩＤ取得手段５０Ａ、５０Ｂが多数あるほど、物情報の取得が早く、正確になる。
【００３５】
物６０は、ユーザ８０が失くしたら困るものなどであって、本システムで情報を取得するために、専用のタグ６２が付けられる。タグ６２は、物を識別するための物ＩＤ６４と、発信手段６６を備えている。発信手段６６は、例えば、Bluetooth（登録商標） Low Energy(BLE)規格の通信を利用したBeaconの仕組みが利用可能である。このように、タグ６２にBeaconを利用することにより、消費電力が少なくて済むというメリットがある。なお、物６０は、図示の例では財布を示したが、これに限定されるものではなく、バッグや鍵、化粧品、手帳、眼鏡、衣類、靴など、タグ６２をつけることができるものであれば、どのようなものであってもよい。
【００３６】
ネットワーク７０は、インターネットなどを含むものであって、ＡＩスピーカ１０、サーバ３０、ＩＤ取得手段５０、５０Ａ、５０Ｂは、ネットワーク７０を介してデータの送受信を行う。
【００３７】
＜物情報回答処理１＞・・・次に、本遺失物情報音声回答システム１００による物情報回答処理の一例について、図５を参照して説明する。図５は、本実施形態の物情報回答処理の一例を示すフローチャートであって、上述した持ち物リスト２２が登録されていない場合である。なお、図１に「Ｓ１」、「Ｓ２」で示すように、ＩＤ取得手段５０、５０Ａ、５０Ｂによる物ＩＤ６４の取得と、取得した物ＩＤ６４と、その取得位置及び取得時間に関する情報の提供は随時行われ、サーバ３０に対応付けて記憶されているものとする。
【００３８】
ユーザ８０により、音声でＡＩスピーカ１０に物に関するリクエスト、例えば、「お財布どこ？」という音声によるリクエストがあると（図１のＳ３、図５のステップＳ１０でＹｅｓ）、ＡＩスピーカ１０のリクエスト受付手段１２がリクエストを受け付け、音声認識で特定される物に関する情報をサーバ３０にリクエストする（図１のＳ４）。サーバ３０では、参照手段３４が物データベース３８を参照し（図５のステップＳ１２）、リクエストされた物の物ＩＤに対応する時間情報と位置情報とを、物データベース３８から取得する。
【００３９】
例えば、財布に対応する物ＩＤは「ａｂｃｄ」であり、その位置情報と取得時間に関する情報を参照し、物情報提供手段３６がＡＩスピーカ１０に参照結果を送信すると、ＡＩスピーカ１０の物情報取得手段１６により物情報が取得される（図１のＳ５、図４のステップＳ１４）。ＡＩスピーカ１０の音声回答手段１８は、取得した参照結果を、音声で回答させる（図１のＳ６、図４のステップＳ１６）。例えば、「お財布は、２０１８／４／２の２０：４７までに緯度ｘｘｘ／経度ｙｙｙにあったよ」という具合である。
【００４０】
なお、緯度・経度での通知ではユーザ８０に分かりにくいため、サーバ３０の地図データ４０やＡＩスピーカ１０の地図データ２０を参照して、取得した緯度・経度に該当する地図上の表示（施設名や道路名など）を用いて音声で通知するようにしてもよい。また、取得した位置情報が、ユーザ８０の近く（ＡＩスピーカ１０やＡＩスピーカとして使用しているユーザ８０のスマートフォンの近く）であれば、「手元にあるよ」という具合に通知してもよい。
【００４１】
なお、上述した物情報のリクエストにおいて、ユーザのＩＤを示すユーザＩＤも記憶しておき、音声入力したユーザ８０の声から、話者特定されたユーザＩＤに紐づいた物を参照するようにしてもよい。すなわち、一台のＡＩスピーカ１０を複数のユーザ８０が使い分けるようにしてもよい。この場合、サーバ３０で物情報を参照する際に、ユーザＩＤとＡＩスピーカＩＤとを連携させておけばよい。
【００４２】
また、上述した物情報の回答において、物データベース３８に複数の時間情報と位置情報がある場合には、最新の時間情報と位置情報を回答させるようにしてもよいし、時系列で回答させるようにしてもよい。
【００４３】
＜物情報回答処理２＞・・・次に、本遺失物情報音声回答システム１００による物情報回答処理の他の例について、図６〜図８を参照して説明する。図６は、本実施形態の物情報回答処理の他の例を示すフローチャートであって、上述した持ち物リスト２２が登録されている場合の例である。図７及び図８は、持ち物リスト２２を参照した場合の音声によるリクエスト及び通知の一例を示す図である。持ち物リスト２２が登録されている場合には、通常の物情報リクエストと平行して、本処理が行われる。なお、図１に「Ｓ１」、「Ｓ２」で示すように、ＩＤ取得手段５０、５０Ａ、５０Ｂによる物ＩＤ６４の取得と、取得した物ＩＤ６４と、その取得位置及び取得時間に関する情報の提供は随時行われ、サーバ３０に対応付けて記憶されていることは、図５に示した処理の場合と同様である。
【００４４】
ユーザ８０により、音声でＡＩスピーカ１０に物に関するリクエスト、例えば、自宅から「行ってきます」という特定の音声によるリクエストがあると（図６のステップＳ２０でＹｅｓ、図７上段）、ＡＩスピーカ１０のリクエスト受付手段１２がリクエストを受け付け、持ち物リスト２２を参照し（図６のステップＳ２２）、持ち物リスト２２に記載された物の各々に関する情報をサーバ３０にリクエストする。サーバ３０では、参照手段３４が物データベース３８を参照し（図６のステップＳ２４）、リクエストされた物の物ＩＤに対応する時間情報と位置情報とを、物データベース３８から取得する。
【００４５】
例えば、持ち物リスト２２内に登録された「鍵」に対応する物ＩＤは「ｅｆｃｄ」であり、その位置情報と取得時間に関する情報を参照する。持ち物リスト２２に登録された他の物「カバン」「財布」についても同様である。物情報提供手段３６がＡＩスピーカ１０に参照結果を送信すると、ＡＩスピーカ１０の物情報取得手段１６により物情報が取得される（図６のステップＳ２６）。そして、ユーザ８０が自宅から離れたときに、取得した位置情報に基づいて鍵を忘れていると判断した場合には（ステップＳ２８のＹｅｓ）、ＡＩスピーカ１０の音声回答手段１８は、音声で通知する（図６のステップＳ３０、図７の後段）。このときの音声通知は、例えば、「鍵を忘れていませんか？」という具合に、ユーザ８０のＡＩスピーカ５０Ａ（携帯電話をＡＩスピーカとして機能させている場合）から音声出力される。これにより、ユーザ８０は忘れものに早期に気づき、時間が経ってから失せもの探しをすることがなくなる。
【００４６】
また、持ち物リスト２２を参照した帰宅時の処理について図８を参照して説明する。ユーザ８０が帰宅したときに特定の音声によるリクエスト、例えば、「ただいま」というリクエストをＡＩスピーカ１０に入力すると、（図６のステップＳ２０でＹｅｓ、図８上段）、ＡＩスピーカ１０のリクエスト受付手段１２がリクエストを受け付け、持ち物リスト２２を参照し（図６のステップＳ２２）、持ち物リスト２２に記載された物の各々に関する情報をサーバ３０にリクエストする。サーバ３０では、参照手段３４が物データベース３８を参照し（図６のステップＳ２４）、リクエストされた物の物ＩＤに対応する時間情報と位置情報とを、物データベース３８から取得する。
【００４７】
例えば、持ち物リスト２２内に登録された「財布」に対応する物ＩＤは「ａｂｃｄ」であり、その位置情報と取得時間に関する情報を参照する。持ち物リスト２２に登録された他の物「鍵」「カバン」についても同様である。物情報提供手段３６がＡＩスピーカ１０に参照結果を送信すると、ＡＩスピーカ１０の物情報取得手段１６により物情報が取得される（図６のステップＳ２６）。そして、取得した位置情報及び時間情報から財布を忘れていると判断した場合には（図６のステップＳ２８のＹｅｓ）、ＡＩスピーカ１０の音声回答手段１８は、音声で通知する（図６のステップＳ３０、図８の後段）。このときの音声通知は、例えば、「財布を忘れていませんか？財布の場所は・・・」という具合に、ユーザ８０のＡＩスピーカ５０Ａ（携帯電話をＡＩスピーカとして機能させている場合）から音声出力される。これにより、ユーザ８０は忘れものに早期に気づき、通知された財布の場所に取りに行くことができる。この場合の位置情報の通知を、緯度と経度で通知するのに代えて、地図データを参照して、地図上の表示で通知してもよいことは図５の処理と同様である。
【００４８】
また、上述した一台のＡＩスピーカ１０を複数のユーザ８０で使い分けるようにしてもよいことも、上述した図５の処理と同様である。更に、物情報の回答において、物データベース３８に複数の時間情報と位置情報がある場合には、最新の時間情報と位置情報を回答させるようにしてもよいし、時系列で回答させるようにしてもよい。
【００４９】
＜物情報回答処理３＞・・・なお、持ち物リスト２２とカレンダー機能を連携させた場合も、図６及び図７と同様の処理が行われる。例えば、スマートフォンのカレンダーに予定を入力する際に、その日の持ち物リストを入力してあらかじめ持ち物リスト２２として設定しておくと、その日の予定限定の持ち物リストのうち、忘れているものがあれば通知する。図４の例では、６月６日の朝６：００に自宅を出発する際の持ち物として、「１  パスポート」が設定されており、ユーザ８０がこの日のこの時間に自宅を出発する際に、ＡＩスピーカ１０に特定の音声入力、例えば、「いってきます」と入力することにより、上述した図６と同様の処理が行われ、自宅をでたときに忘れ物があれば、ＡＩスピーカとして機能するユーザ８０のスマートフォンから「パスポートを忘れていませんか？」という具合に音声通知される。
【００５０】
＜効果＞・・・以上説明した実施形態によれば、物６０のＩＤを示す物ＩＤ６４を発信するタグ６２から、物ＩＤ６４を取得するＩＤ取得手段５０と、取得した物ＩＤ６４と、当該物ＩＤ６４を取得した位置を示す位置情報と、当該物ＩＤ６４を取得した時間を示す時間情報とを対応付けて物データベース３８に記憶し、音声入出力が可能なＡＩスピーカ１０から音声で入力された物に関するリクエストに応じて、音声認識で特定される物６０の物ＩＤ６４に対応する時間情報と位置情報を、物データベース３８から参照するサーバ３０と、前記参照した結果を、音声で回答させるＡＩスピーカ１０と、を備える。このように、ＡＩスピーカ１０を利用して、物に関する情報のリクエストと回答（ないし通知）を音声で行うことで、物の探索にかかる時間と労力を軽減し、遺失物をなくすことができる。
【００５１】
また、本実施形態によれば、ユーザ８０が通常の外出時の持ち物リスト２２をあらかじめ登録しておくことで、ＡＩスピーカ１０から特定の音声で入力された物に関するリクエストに応じて、持ち物リスト２２及び物データベース３８が参照される。そして、持ち物リスト２２に登録された持ち物各々について参照した結果から忘れ物があると判断された場合に、前記判断された結果を、ＡＩスピーカ１０に音声で回答させる。このため、あらかじめ通常持ち歩く物を登録しておくことで、日常生活での遺失物をなくすことができる。さらに、持ち物リスト２２とカレンダー機能を連結させることで、出張やレジャーなどの、日常と異なる行動を行う場合の荷物の忘れ物や紛失を防止することができる。
【００５２】
さらに、物ＩＤ６４に対応する時間情報と位置情報が複数ある場合には、時系列で前記時間情報と位置情報を回答することとすれば、第三者が間違えてユーザ８０の物を持ち帰ったような場合に、追跡がしやすいという効果がある。
【００５３】
上述した実施形態は一例であり、同様の効果を奏する範囲内で適宜変更が可能である。また、以下の変形例が組み合わせされた形態であってもよい。
(1)上述した実施形態で示したＡＩスピーカ１０、ＩＤ取得手段５０、物６０の数は一例であり、適宜増減が可能である。
(2)上述した実施形態では、ＡＩスピーカ１０として、据え置き型のＡＩスピーカ１０Ａや、専用のアプリケーションをインストールしたスマートフォンをＡＩスピーカ１０Ｂとして利用した例を示したが、これも一例であり、音声入出力が可能なスピーカ型のコンピュータとして機能するものであれば、他の端末であってもよい。
(3)上述した実施形態で示したスマートフォンを利用したＩＤ取得手段５０Ａや、各種施設等に設置された固定型のＩＤ取得手段５０Ｂも一例であり、ＩＤ取得手段を備えたＰＣなどの端末であってもよい。
【００５４】
(4)上述した実施形態で示した物６０、持ち物リスト２２、カレンダー情報２３も一例であり、必要に応じて適宜変更可能である。
(5)ＡＩスピーカ１０は、据え置き型のものと携帯型の双方を切り替えて使用するようにしてもよいし、いずれか一方のみを使用してもよい。
(6)上述した実施形態で示したシステムの機能構成も一例であり、ＡＩスピーカ１０の機能の一部をサーバ３０が有するようにしてもよいし、サーバ３０の機能の一部をＡＩスピーカ１０が有するようにしてもよい。
(7)上述した実施形態で示した音声入力も一例であり、同様の効果を奏する範囲内で適宜変更可能である。
【００５５】
(8)上述した実施形態で示した音声による通知（例えば「忘れ物あるよ」）に対するユーザの回答（「忘れている」「忘れていない」など）を示す音声入力を教師データとして機械学習し、音声による通知（回答）の精度を上げるようフィードバックを行うようにしてもよい。
(9)本発明は、サーバ３０又はＡＩスピーカ１０で実行されるプログラムとして提供されてもよい。このプログラムは、コンピュータが読取可能な記録媒体に記録された状態で提供されてもよいし、ネットワーク７０を介してダウンロードしてもよい。また、本発明は、方法の発明として提供されてもよい。更に、本発明は、ＡＩスピーカの発明として提供されてもよい。
【００５６】
なお、上述の説明では、ＡＩスピーカ１０に備えられたソフトウェアエージェントによって、音声認識されたデータを、サーバ３０に送信して、リクエストを処理する。他の態様として、ＡＩスピーカ１０にソフトウェアエージェントが備えられていない場合は、ＡＩスピーカ１０とサーバ３０の間に、リクエスト用のサーバを設け、ＡＩスピーカ１０から入力されたデータを、このサーバが受信し、リクエストに変換してサーバ３０に送信することで処理してもよい。
【産業上の利用可能性】
【００５７】
本発明によれば、ＡＩスピーカに対する音声入力により物の情報をサーバから取得し、取得した情報をＡＩスピーカから音声で出力することで、物の探索にかかる時間と労力を軽減できるため、遺失物について回答させるためのシステムとして好適である。
【符号の説明】
【００５８】
１０，１０Ａ，１０Ｂ：ＡＩスピーカ
１２：リクエスト受付手段（音声入力受付手段）
１４：物情報要求手段
１６：物情報取得手段
１８：音声回答手段
２０：地図データ
２２：持ち物リスト
２２Ａ：時間情報
２２Ｂ：持ち物情報
２３Ａ：カレンダー情報
２３Ｂ：予定情報
２３Ｃ：持ち物情報
２４：スケジュールデータ
３０：サーバ
３２：物ＩＤ取得手段
３４：参照手段
３６：物情報提供手段
３８：物データベース
３８Ａ：サービスＩＤ
３８Ｂ：ユーザＩＤ
３８Ｃ：物ＩＤ
３８Ｄ：物名
３８Ｅ：受信日
３８Ｆ：受信時間
３８Ｇ：位置情報
４０：地図データ
５０，５０Ａ，５０Ｂ：ＩＤ取得手段
５２：物ＩＤ取得手段
５４：物ＩＤ提供手段
６０：物
６２：タグ
６４：物ＩＤ
６６：発信手段
７０：ネットワーク
８０：ユーザ
１００：遺失物情報音声回答システム
【図１】
2019219706.tif 000003
【図２】
2019219706.tif 000004
【図３】
2019219706.tif 000005
【図４】
2019219706.tif 000006
【図５】
2019219706.tif 000007
【図６】
2019219706.tif 000008
【図７】
2019219706.tif 000009
【図８】
2019219706.tif 000010
【手続補正書】
【提出日】平成31年1月24日(2019.1.24)
【手続補正１】
【補正対象書類名】特許請求の範囲
【補正対象項目名】全文
【補正方法】変更
【補正の内容】
【特許請求の範囲】
【請求項１】
音声入出力が可能なＡＩスピーカに、遺失物について音声で回答させるための遺失物情報音声回答システムであって、
物のＩＤを示す物ＩＤを発信するタグから、前記物ＩＤを取得する複数の取得手段と、
取得した前記物ＩＤと、当該物ＩＤを取得した位置を示す位置情報と、当該物ＩＤを取得した時間を示す時間情報と、を対応付けて記憶する記憶手段と、
前記ＡＩスピーカから音声で入力された物に関するリクエストに応じて、音声認識で特定される物の物ＩＤに対応する時間情報と位置情報を、前記記憶手段から参照する参照手段と、
前記参照した結果を、前記ＡＩスピーカに音声で回答させる回答手段と、
を備える遺失物情報音声回答システム。
【請求項２】
前記物のユーザが、外出時の持ち物リストをあらかじめ登録しておくことで、
ＡＩスピーカから特定のワードを音声で入力された物に関するリクエストに応じて、
前記持ち物リスト及び前記記憶手段が参照され、
前記持ち物リストに登録された持ち物各々について参照した結果から忘れ物があると判断された場合に、
前記判断された結果を、前記回答手段が前記ＡＩスピーカに音声で通知させる
請求項１記載の遺失物情報音声回答システム。
【請求項３】
前記物ＩＤに対応する時間情報と位置情報が複数ある場合には、
前記回答手段は、時系列で前記時間情報と位置情報を回答する
請求項１又は２記載の遺失物情報音声回答システム。
【請求項４】
請求項１〜３のいずれか一項に記載の遺失物情報音声回答システムに利用される遺失物について音声で回答する音声入出力可能なＡＩスピーカであって、
音声で入力された物に関するリクエストを受け付ける音声入力受付手段と、
受け付けた前記物に関するリクエストに応じて、音声認識で特定される物の物ＩＤに対応する時間情報と位置情報を、外部記憶手段に要求する要求手段と、
要求に応じて前記外部記憶手段から提供された物に関する情報を取得する取得手段と、
前記取得した結果を、音声で回答する通知手段と、
を備えるＡＩスピーカ。
【請求項５】
遺失物について回答させるための遺失物情報音声回答方法であって、
前記物のＩＤを示す物ＩＤを発信するタグから、複数の取得手段が前記物ＩＤを取得するステップと、
取得した前記物ＩＤと、当該物ＩＤを取得した位置を示す位置情報と、当該物ＩＤを取得した時間を示す時間情報とを対応付けて記憶するステップと、
音声入出力が可能なＡＩスピーカから音声で入力された物に関するリクエストに応じて、音声認識で特定される物の物ＩＤに対応する時間情報と位置情報を、記憶手段から参照するステップと、
前記参照した結果を、前記ＡＩスピーカに音声で回答させるステップと、
を備える遺失物情報音声回答方法。
【請求項６】
音声入出力が可能なＡＩスピーカに、遺失物について音声で回答させるための遺失物情 報音声回答の処理を実行させるためのプログラムであって、
前記物のＩＤを示す物ＩＤを発信するタグから、複数の取得手段が前記物ＩＤを取得するステップと、
取得した前記物ＩＤと、当該物ＩＤを取得した位置を示す位置情報と、当該物ＩＤを取得した時間を示す時間情報とを対応付けて記憶するステップと、
音声入出力が可能なＡＩスピーカから音声で入力された物に関するリクエストに応じて、音声認識で特定される物の物ＩＤに対応する時間情報と位置情報を、記憶手段から参照するステップと、
前記参照した結果を、前記ＡＩスピーカに音声で回答させるステップと、
を実行させるためのプログラム。
【手続補正２】
【補正対象書類名】明細書
【補正対象項目名】０００８
【補正方法】変更
【補正の内容】
【０００８】
本発明は、音声入出力が可能なＡＩスピーカに、遺失物について音声で回答させるための遺失物情報音声回答システムであって、物のＩＤを示す物ＩＤを発信するタグから、前記物ＩＤを取得する複数の取得手段と、取得した前記物ＩＤと、当該物ＩＤを取得した位置を示す位置情報と、当該物ＩＤを取得した時間を示す時間情報と、を対応付けて記憶する記憶手段と、前記ＡＩスピーカから音声で入力された物に関するリクエストに応じて、音声認識で特定される物の物ＩＤに対応する時間情報と位置情報を、前記記憶手段から参照する参照手段と、前記参照した結果を、前記ＡＩスピーカに音声で回答させる回答手段と、を備える遺失物情報音声回答システムを提供する。
【手続補正３】
【補正対象書類名】明細書
【補正対象項目名】０００９
【補正方法】変更
【補正の内容】
【０００９】
また、本発明は、請求項１〜３のいずれか一項に記載の遺失物情報音声回答システムに利用される遺失物について音声で回答する音声入出力可能なＡＩスピーカであって、音声で入力された物に関するリクエストを受け付ける音声入力受付手段と、受け付けた前記物に関するリクエストに応じて、音声認識で特定される物の物ＩＤに対応する時間情報と位置情報を、外部記憶手段に要求する要求手段と、要求に応じて前記外部記憶手段から提供された物に関する情報を取得する取得手段と、前記取得した結果を、音声で回答する通知手段と、を備えるＡＩスピーカを提供する。
【手続補正４】
【補正対象書類名】明細書
【補正対象項目名】００１０
【補正方法】変更
【補正の内容】
【００１０】
更に、本発明は、音声入出力が可能なＡＩスピーカに、遺失物について音声で回答させるための遺失物情報音声回答方法であって、前記物のＩＤを示す物ＩＤを発信するタグから、複数の取得手段が前記物ＩＤを取得するステップと、取得した前記物ＩＤと、当該物ＩＤを取得した位置を示す位置情報と、当該物ＩＤを取得した時間を示す時間情報とを対応付けて記憶するステップと、前記ＡＩスピーカから音声で入力された物に関するリクエストに応じて、音声認識で特定される物の物ＩＤに対応する時間情報と位置情報を、記憶手段から参照するステップと、前記参照した結果を、前記ＡＩスピーカに音声で回答させるステップと、を備える遺失物情報音声回答方法を提供する。
【手続補正５】
【補正対象書類名】明細書
【補正対象項目名】００１１
【補正方法】変更
【補正の内容】
【００１１】
更に、本発明は、音声入出力が可能なＡＩスピーカに、遺失物について音声で回答させるための遺失物情報音声回答の処理を実行させるためのプログラムであって、前記物のＩＤを示す物ＩＤを発信するタグから、複数の取得手段が前記物ＩＤを取得するステップと、取得した前記物ＩＤと、当該物ＩＤを取得した位置を示す位置情報と、当該物ＩＤを取得した時間を示す時間情報とを対応付けて記憶するステップと、前記ＡＩスピーカから音声で入力された物に関するリクエストに応じて、音声認識で特定される物の物ＩＤに対応する時間情報と位置情報を、記憶手段から参照するステップと、前記参照した結果を、前記ＡＩスピーカに音声で回答させるステップと、を実行させるためのプログラムを提供する。
【手続補正書】
【提出日】平成31年4月25日(2019.4.25)
【手続補正１】
【補正対象書類名】特許請求の範囲
【補正対象項目名】全文
【補正方法】変更
【補正の内容】
【特許請求の範囲】
【請求項１】
音声入出力が可能なＡＩスピーカに、遺失物について音声で回答させるための遺失物情報音声回答システムであって、
物のＩＤを示す物ＩＤを発信するタグから、前記物ＩＤを取得する複数の取得手段と、
取得した前記物ＩＤと、当該物ＩＤを取得した位置を示す位置情報と、当該物ＩＤを取得した時間を示す時間情報と、を対応付けて記憶する記憶手段と、
前記ＡＩスピーカから音声で入力された物に関するリクエストに応じて、音声認識で特定される物の物ＩＤに対応する時間情報と位置情報を、前記記憶手段から参照する参照手段と、
前記参照した結果を、前記ＡＩスピーカに音声で回答させる回答手段と、
を備え、
前記物のユーザが、外出時の持ち物リストをあらかじめ登録しておくことで、
ＡＩスピーカから特定のワードを音声で入力された物に関するリクエストに応じて、
前記持ち物リスト及び前記記憶手段が参照され、
前記持ち物リストに登録された持ち物各々について参照した結果から忘れ物があると判断された場合に、
前記判断された結果を、前記回答手段が前記ＡＩスピーカに音声で通知させる遺失物情報音声回答システム。
【請求項２】
前記物ＩＤに対応する時間情報と位置情報が複数ある場合には、
前記回答手段は、時系列で前記時間情報と位置情報を回答する
請求項１記載の遺失物情報音声回答システム。
【請求項３】
遺失物について回答させるための遺失物情報音声回答方法であって、
前記物のＩＤを示す物ＩＤを発信するタグから、複数の取得手段が前記物ＩＤを取得するステップと、
取得した前記物ＩＤと、当該物ＩＤを取得した位置を示す位置情報と、当該物ＩＤを取得した時間を示す時間情報とを対応付けて記憶するステップと、
音声入出力が可能なＡＩスピーカから音声で入力された物に関するリクエストに応じて、音声認識で特定される物の物ＩＤに対応する時間情報と位置情報を、記憶手段から参照するステップと、
前記参照した結果を、前記ＡＩスピーカに音声で回答させるステップと、
を備え、
前記物のユーザが、外出時の持ち物リストをあらかじめ登録しておくことで、
ＡＩスピーカから特定のワードを音声で入力された物に関するリクエストに応じて、
前記持ち物リスト及び前記記憶手段が参照され、
前記持ち物リストに登録された持ち物各々について参照した結果から忘れ物があると判断された場合に、
前記判断された結果を、前記ＡＩスピーカに音声で通知させる遺失物情報音声回答方法。
【請求項４】
音声入出力が可能なＡＩスピーカに、遺失物について音声で回答させるための遺失物情報音声回答の処理を実行させるためのプログラムであって、
前記物のＩＤを示す物ＩＤを発信するタグから、複数の取得手段が前記物ＩＤを取得するステップと、
取得した前記物ＩＤと、当該物ＩＤを取得した位置を示す位置情報と、当該物ＩＤを取得した時間を示す時間情報とを対応付けて記憶するステップと、
音声入出力が可能なＡＩスピーカから音声で入力された物に関するリクエストに応じて、音声認識で特定される物の物ＩＤに対応する時間情報と位置情報を、記憶手段から参照するステップと、
前記参照した結果を、前記ＡＩスピーカに音声で回答させるステップと、
を実行させ、
前記物のユーザが、外出時の持ち物リストをあらかじめ登録しておくことで、
ＡＩスピーカから特定のワードを音声で入力された物に関するリクエストに応じて、
前記持ち物リスト及び前記記憶手段が参照され、
前記持ち物リストに登録された持ち物各々について参照した結果から忘れ物があると判断された場合に、
前記判断された結果を、前記ＡＩスピーカに音声で通知させるためのプログラム。
【手続補正３】
【補正対象書類名】明細書
【補正対象項目名】０００８
【補正方法】変更
【補正の内容】
【０００８】
本発明は、音声入出力が可能なＡＩスピーカに、遺失物について音声で回答させるための遺失物情報音声回答システムであって、物のＩＤを示す物ＩＤを発信するタグから、前記物ＩＤを取得する複数の取得手段と、取得した前記物ＩＤと、当該物ＩＤを取得した位置を示す位置情報と、当該物ＩＤを取得した時間を示す時間情報と、を対応付けて記憶する記憶手段と、前記ＡＩスピーカから音声で入力された物に関するリクエストに応じて、音声認識で特定される物の物ＩＤに対応する時間情報と位置情報を、前記記憶手段から参照する参照手段と、前記参照した結果を、前記ＡＩスピーカに音声で回答させる回答手段と、を備え、前記物のユーザが、外出時の持ち物リストをあらかじめ登録しておくことで、ＡＩスピーカから特定のワードを音声で入力された物に関するリクエストに応じて、前記持ち物リスト及び前記記憶手段が参照され、前記持ち物リストに登録された持ち物各々について参照した結果から忘れ物があると判断された場合に、前記判断された結果を、前記回答手段が前記ＡＩスピーカに音声で通知させる遺失物情報音声回答システムを提供する。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
更に、本発明は、音声入出力が可能なＡＩスピーカに、遺失物について音声で回答させるための遺失物情報音声回答方法であって、前記物のＩＤを示す物ＩＤを発信するタグから、複数の取得手段が前記物ＩＤを取得するステップと、取得した前記物ＩＤと、当該物ＩＤを取得した位置を示す位置情報と、当該物ＩＤを取得した時間を示す時間情報とを対応付けて記憶するステップと、前記ＡＩスピーカから音声で入力された物に関するリクエストに応じて、音声認識で特定される物の物ＩＤに対応する時間情報と位置情報を、記憶手段から参照するステップと、前記参照した結果を、前記ＡＩスピーカに音声で回答させるステップと、を備え、前記物のユーザが、外出時の持ち物リストをあらかじめ登録しておくことで、ＡＩスピーカから特定のワードを音声で入力された物に関するリクエストに応じて、前記持ち物リスト及び前記記憶手段が参照され、前記持ち物リストに登録された持ち物各々について参照した結果から忘れ物があると判断された場合に、前記判断された結果を、前記ＡＩスピーカに音声で通知させる遺失物情報音声回答方法を提供する。
【手続補正６】
【補正対象書類名】明細書
【補正対象項目名】００１１
【補正方法】変更
【補正の内容】
【００１１】
更に、本発明は、音声入出力が可能なＡＩスピーカに、遺失物について音声で回答させるための遺失物情報音声回答の処理を実行させるためのプログラムであって、前記物のＩＤを示す物ＩＤを発信するタグから、複数の取得手段が前記物ＩＤを取得するステップと、取得した前記物ＩＤと、当該物ＩＤを取得した位置を示す位置情報と、当該物ＩＤを取得した時間を示す時間情報とを対応付けて記憶するステップと、前記ＡＩスピーカから音声で入力された物に関するリクエストに応じて、音声認識で特定される物の物ＩＤに対応する時間情報と位置情報を、記憶手段から参照するステップと、前記参照した結果を、前記ＡＩスピーカに音声で回答させるステップと、を実行させ、前記物のユーザが、外出時の持ち物リストをあらかじめ登録しておくことで、ＡＩスピーカから特定のワードを音声で入力された物に関するリクエストに応じて、前記持ち物リスト及び前記記憶手段が参照され、前記持ち物リストに登録された持ち物各々について参照した結果から忘れ物があると判断された場合に、前記判断された結果を、前記ＡＩスピーカに音声で通知させるためのプログラムを提供する。